(57)【特許請求の範囲】
【請求項１】
濁度（日本水道協会上水試験方法に記載の散乱光測定法による）が２〜６の海水を限外濾過して魚介類の養殖用海水を製造する方法であって、
限外濾過膜がポリエーテルスルホン膜であり、
２４時間の濾過処理運転の間、限外濾過膜を３〜２００ｐｐｍの次亜塩素酸ナトリウム水溶液中に１〜３時間浸漬した後、次亜塩素酸ナトリウムを含まない水を用いて、流束３〜１６ｍ／日で、６０〜１８０秒間逆圧洗浄する処理を含む、魚介類の養殖用海水を製造する方法。
【請求項２】
２４時間の濾過処理運転の間、限外濾過膜を１０〜１５０ｐｐｍの次亜塩素酸ナトリウム水溶液中に１〜３時間浸漬した後、次亜塩素酸ナトリウムを含まない水を用いて、流束６〜１２ｍ／日で、６０〜１２０秒間逆圧洗浄する処理を含む、請求項１記載の魚介類の養殖用海水を製造する方法
【発明の詳細な説明】
【技術分野】
【０００１】
本発明は、港湾内等の濁度の高い海水を魚介類の養殖用海水等として利用できるようにするための濾過処理法に関する。
【背景技術】
【０００２】
海水を魚介類の養殖用海水、洗浄用水等として利用する場合、沖合から清浄な海水を運搬することは現実的ではなく、通常は、港湾内や沿岸付近の海水から汚れを除去し、除菌処理したものを利用することになる。このような技術として、特許文献１〜４が知られている。
【０００３】
特許文献１には、閉鎖性水域の海水の浄化処理方法の発明であり、海水中の植物プランクトンの９０％以上を、塩素、オゾン、紫外線照射により滅菌処理した後に、生物膜濾過、砂濾過、活性炭濾過等により濾過する方法が開示されている。
【０００４】
特許文献２には、海水をオゾン処理した後に濾過する方法が開示され、処理水は、魚介類の養殖場や水族館に利用されることが開示されている。
【０００５】
特許文献３には、海水を濾過する濾過膜を、塩素剤を含む海水と、酸を含む海水で通水洗浄する方法が開示されている。
【０００６】
特許文献４には、濾過膜を用いて、海水を循環処理する方法であり、次亜塩素酸ナトリウム溶液を用いて逆圧洗浄できることが開示され、処理水は、魚介類の洗浄や水産加工品の洗浄に利用することが開示されている。
【特許文献１】特開平５−２７７４７０号公報
【特許文献２】特開平８−８０４９３号公報
【特許文献３】特開２００１−２５２５３６号公報
【特許文献４】特開２００３−１５４３６０号公報
【発明の開示】
【発明が解決しようとする課題】
【０００７】
特許文献１〜３の発明では、除菌手段としてオゾンや薬剤を用いているため、処理水に残留するオゾンや薬剤の問題があり、安全性の点で改良の余地がある。特許文献４の発明では、膜モジュールを用いて膜濾過することが記載されているが、膜についての具体的な記載はなく、薬液を用いた通常の逆圧洗浄では、短期間で濾過性能が低下してしまう。
【０００８】
本発明は、長期間安定した濾過運転により、海水の浄化処理をすることができ、処理海水が魚介類の養殖用海水として利用できるようになる、海水の濾過処理法を提供することを課題とする。
【課題を解決するための手段】
【０００９】
本発明は、課題の解決手段として、海水を限外濾過して魚介類の養殖用海水として利用するための濾過処理法であって、
２４時間の濾過処理運転の間、限外濾過膜を３〜２００ｐｐｍの次亜塩素酸ナトリウム水溶液中に１〜３時間浸漬した後、水で逆圧洗浄する処理を含む、海水の濾過処理法を提供する。
【発明の効果】
【００１０】
本発明の海水の濾過処理法によれば、長期間、安定した濾過性能を維持したままで連続運転することができるため、清浄な海水を養殖用海水として安定供給することができる。
【発明を実施するための最良の形態】
【００１１】
以下、本発明の海水の濾過処理法の実施形態について、処理フローを示した図１に従って説明する。
【００１２】
本発明の濾過処理法の適用対象となる海水は、有機物等による汚れや細菌汚染等の問題により、そのままでは魚介類の養殖用海水として利用できない海水であり、例えば、港湾等の閉鎖海域の海水、沿岸付近の海水である。より具体的には、本発明の濾過処理法は、濁度（日本水道協会上水試験方法に記載の散乱光測定法による）が２以上の海水に適用することが好ましく、濁度が２〜６の海水に適用することが特に好ましい。
【００１３】
濾過運転時には、膜入口自動弁２６を開放し、透過水自動弁１３を開、洗浄水排出自動弁１４と逆洗自動弁１９は閉の状態で、海水を海水供給ポンプ１１により限外濾過膜モジュール１２に供給して濾過を行い、生成した透過水を透過水タンク１７に貯留する。濾過膜モジュール１２を透過しない海水は、循環経路１６、海水供給ポンプ１１を経て、再び濾過膜モジュール１２に送られる。濾過膜モジュール１２における濾過は、クロスフロー濾過でもよいし、全量濾過でもよい。また、濾過運転中、定期的に（例えば、３０分から１時間の濾過運転の間に１回）透過水を用いて膜の逆圧洗浄を行う。
【００１４】
海水は、限外濾過膜モジュール１２に送って濾過処理する前に、必要に応じてプレフィルター等により、最大径が１００μm程度以上の異物（ゴミ）を除去しておくことが望ましい。
【００１５】
限外濾過膜モジュール１２は、図１では少なくとも３つの液出入口を有するケースハウジング内に所要量の限外濾過膜が収容・固定されたものである。
【００１６】
限外濾過膜は公知のものを用いることができ、例えば、ポリアクリロニトリル、ポリフッ化ビニリデン、ポリスルホン、ポリエーテルスルホン、ナイロン、酢酸セルロース等からなる、中空糸状、管状、スパイラル状、平膜状のものを用いることができる。
【００１７】
濾過運転を継続して行くと、濾過膜モジュール１２内の限外濾過膜が目詰まりして濾過能力が低下して行くため、濾過膜を洗浄する。
【００１８】
本発明では、３０分から１時間の濾過運転の間に１回の透過水を用いた逆圧洗浄を行う以外に、濾過運転２４時間に１度の割合で、限外濾過膜を次亜塩素酸ナトリウム水溶液中に１〜３時間浸漬した後（以下「薬液浸漬洗浄」と称する。）、水（好ましくは透過水である。）で逆圧洗浄する。
【００１９】
次亜塩素酸ナトリウム水溶液を用いた薬液浸漬洗浄は、次の手順で行う。海水供給ポンプ１１を停止し、逆洗自動弁１９を開とし、逆洗水供給ポンプ１８及び薬液供給ポンプ２２を作動させ、薬液タンク２１内の次亜塩素酸ナトリウム水溶液と透過水タンク１７の透過水（必要に応じて水道水を併用してもよい）が混合された洗浄水を得る。
【００２０】
次に、前記洗浄水の所定量（限外濾過膜モジュール１２内の限外濾過膜の全体が洗浄水中に浸漬される量）を限外濾過膜モジュール１２に供給した後、逆洗水供給ポンプ１８及び薬液供給ポンプ２２を停止し、逆洗自動弁１９を閉として、限外濾過膜モジュール１２内に洗浄水を満たし、限外濾過膜の全体を洗浄水中に１〜３時間浸漬する。
【００２１】
洗浄水中の次亜塩素酸ナトリウム濃度（質量基準）は３〜２００ｐｐｍであり、好ましくは１０〜１５０ｐｐｍ、より好ましくは２０〜１００ｐｐｍである。
【００２２】
浸漬洗浄の終了後、逆洗自動弁１９を開とし、逆洗水供給ポンプ１８を作動させ、透過水（必要に応じて水道水を併用してもよい）を用いて逆圧洗浄を行う。逆圧洗浄に用いる水は、次亜塩素酸ナトリウムを含まないものであることが好ましい。逆圧洗浄は、好ましくは流束３〜１６ｍ／日、より好ましくは流束６〜１２ｍ／日で、好ましくは６０〜１８０秒間、より好ましくは６０〜１２０秒間である。
【実施例】
【００２３】
実施例１
図１に示すフローに従って、クロスフロー濾過により、海水を連続濾過処理した。濾過速度は、流束で約２．５ｍ／日とした。
【００２４】
海水として、閉鎖海域の岸から約２０ｍで水深約５ｍの海水（濁度５）を用いた。限外濾過膜として、ポリエーテルスルホン中空糸膜（有効膜面積１６m２、膜内径０．８ｍｍ、膜外径１．３ｍｍ、分画分子量１５万）を用いた。
【００２５】
２２時間の濾過運転後（但し、濾過運転３０分ごとに、透過水を用いて、流束０．１ｍ／日で６０秒間逆圧洗浄した。）、２時間の薬液浸漬洗浄（次亜塩素酸ナトリウム濃度１５ｐｐｍ）をした後、透過水（次亜塩素酸ナトリウムを含まない）を用いて、流束１０ｍ／日で６０秒間の逆圧洗浄をした。この条件にて濾過運転を９０日継続した。
【００２６】
濾過処理開始から１日経過後の透過水の濁度は０．１以下であり、濾過処理開始から９０日経過後の透過水の濁度は０．１以下であった。また、膜間差圧にも変化は見られなかった。
【００２７】
比較例１
２２時間の濾過運転後（但し、実施例１と同様にして逆圧洗浄した。）、薬液（次亜塩素酸ナトリウム濃度５ｐｐｍ）を用いた逆圧洗浄を流束１０ｍ／日で６０秒間行った後、透過水を用いた逆圧洗浄を流束１０ｍ／日で６０秒間行った。この条件にて濾過運転を３０日継続した。
【００２８】
濾過処理開始から１日経過後の透過水の濁度は０．１以下であり、濾過処理開始から３０日経過後の透過水の濁度は０．１以下を維持したが、膜間差圧が運転開始から７日経過後から上昇し、透過水量が減少した。このため、加圧ポンプ（図１の海水供給ポンプ１１）により、徐々に運転時の圧力を上昇させて行き、透過水量を維持した。
【図面の簡単な説明】
【００２９】
【図１】本発明の海水の濾過処理法を説明するためのフロー図。
【符号の説明】
【００３０】
１２  限外濾過膜モジュール
１７  透過水タンク
２１  薬液タンク
【図１】
0004804176.tif 000002